(57)【要約】【課題】周囲金属の影響を受けない、取り付け場所の制限を受けない、かつ薄型化したデータキャリア用リーダ／ライタを提供する。【解決手段】送信および受信機能を有するデータキャリアの識別、制御を行うデータキャリア用リーダ／ライタ１００は、制御回路基板６とアンテナ送受信部８とで構成され、前記アンテナ送受信部８が、アンテナコイル１、第１の磁性体シート２、第２の磁性体シート３、アルミニウム板４の順番に積層された構造とする。【選択図】  図１
2004213217.tif 000002
【特許請求の範囲】
【請求項１】
制御回路基板とアンテナ送受信部とで構成され、送信および受信機能を有するデータキャリアの識別、制御を行うデータキャリア用リーダ／ライタであって、前記アンテナ送受信部が、アンテナコイル、磁性体シート、金属板の順番に積層された構造であることを特徴とするデータキャリア用リーダ／ライタ。
【請求項２】
制御回路基板とアンテナ送受信部とで構成され、送信および受信機能を有するデータキャリアの識別、制御を行うデータキャリア用リーダ／ライタであって、前記アンテナ送受信部が、アンテナコイル、磁性体シート、絶縁体スペーサ、金属板の順番に積層された構造であることを特徴とするデータキャリア用リーダ／ライタ。
【請求項３】
前記磁性体シートは、単一あるいは複数枚の電磁波吸収用磁性体シートであることを特徴とする請求項１または２に記載のデータキャリア用リーダ／ライタ。
【請求項４】
前記金属板は、アルミニウム、あるいは銅のいずれかであることを特徴とする請求項１ないし３のいずれかに記載のデータキャリア用リーダ／ライタ。
【請求項５】
前記アンテナ送受信部の外側領域であって、アンテナコイルと反対側の領域に、前記制御回路基板が配置されたことを特徴とする請求項１ないし４のいずれかに記載のデータキャリア用リーダ／ライタ。
【請求項６】
前記データキャリアがＲＦＩＤタグであることを特徴とする請求項１ないし５のいずれかに記載のデータキャリア用リーダ／ライタ。
【請求項７】
前記データキャリアが非接触型ＩＣカードであることを特徴とする請求項１ないし５のいずれかに記載のデータキャリア用リーダ／ライタ。
【発明の詳細な説明】
【０００１】
【発明の属する技術分野】
本発明は、主としてデータキャリアとデータのやり取りを行うのに好適なデータキャリア用リーダ／ライタに関する。
【０００２】
【従来の技術】
従来のデータキャリア用リーダ／ライタについては、例えば、非特許文献１に記載されている。なお、ＲＦＩＤは、Ｒａｄｉｏ  Ｆｒｅｑｕｅｎｃｙ  Ｉｄｅｎｔｉｆｉｅｒ（無線周波数識別子）の略である。図５は、従来のデータキャリア用リーダ／ライタの分解斜視図である。また、図６は、従来のデータキャリア用リーダ／ライタとＲＦＩＤタグとの位置関係を示す図である。
【０００３】
図５より、従来のデータキャリア用リーダ／ライタは、ケース１０ａの中に、アンテナコイル１１と、フェライトコア９と、絶縁体シート５１と、制御回路基板６１が順番に積層されており、最後に、ふた７１が、固着された構造となっている。ここで、アンテナコイル１１と、フェライトコア９とでアンテナ送受信部８１が構成されている。
【０００４】
また、図６に示す通り、実使用時には、データキャリア用リーダ／ライタ１００ａのアンテナコイル１１を配置した面の下側の領域に、ＲＦＩＤタグ２００ａが通過して、データの授受が行われる。ここで、データキャリア用リーダ／ライタ１００ａと、ＲＦＩＤタグ２００ａとは、距離Ｌ３だけ、通信距離を有している。
【０００５】
【非特許文献１】
日刊工業新聞社編、「ＲＦＩＤハンドブック」、第１版、日刊工業新聞社出版、２００１年２月、ｐ２３−４０
【０００６】
【発明が解決しようとする課題】
従来のデータキャリア用リーダ／ライタは、以下の問題点があった。第１の問題点は、アンテナ送受信部８１でのフェライトコア９について、その厚みが２ｍｍから３ｍｍの範囲が必要であり、アンテナ送受信部８１の全体の厚みが大きくなるという問題点があった。また、アンテナ送受信部８１にて、所用のインダクタンス値を得るために、アンテナコイル１１の巻数が多くなり、また外形寸法も大きくなるという傾向があった。
【０００７】
第２の問題点は、従来のデータキャリア用リーダ／ライタは、周辺の金属板の影響を受け、取り付け場所の制限を受けるということである。その理由は、アンテナ送受信部８１からの電磁波が、ケース１０ａから漏れ、周辺の金属板と、電磁的な干渉を起こすためである。
【０００８】
従って、本発明の目的は、周囲金属の影響を受けない、取り付け場所の制限を受けない、かつ薄型化したデータキャリア用リーダ／ライタを提供することにある。
【０００９】
【課題を解決するための手段】
本発明では、第１の問題点の解決策として、フェライトコアに替えて、単一あるいは複数枚の電磁波吸収用磁性体シートを適用するものである。本発明では、第２の問題点の解決策として、金属板をアンテナ送受信部に配置するものである。
【００１０】
本発明のデータキャリア用リーダ／ライタは、送信および受信機能を有するデータキャリアの識別、制御を行うデータキャリア用リーダ／ライタであって、データキャリア用リーダ／ライタは、制御回路基板とアンテナ送信部とで構成され、前記アンテナ送信部が、アンテナコイル、磁性体シート、金属板の順番に積層された構造で構成されたことを特徴とするデータキャリア用リーダ／ライタである。
【００１１】
また、本発明は、送信および受信機能を有するデータキャリアの識別、制御を行うデータキャリア用リーダ／ライタであって、前記データキャリア用リーダ／ライタは、制御回路基板とアンテナ送受信部とで構成され、前記アンテナ送受信部が、アンテナコイル、磁性体シート、絶縁体スペーサ、金属板の順番に積層された構造で構成されたデータキャリア用リーダ／ライタである。
【００１２】
また、本発明は、前記磁性体シートが、単一あるいは複数枚の電磁波吸収用磁性体シートのデータキャリア用リーダ／ライタである。
【００１３】
また、本発明は、前記金属板が、その材質を、アルミニウム、あるいは銅とするデータキャリア用リーダ／ライタである。
【００１４】
また、本発明は、前記アンテナ送受信部の外側領域であって、アンテナコイルと反対側の領域に、前記制御回路基板が配置されたデータキャリア用リーダ／ライタである。
【００１５】
また、本発明は、前記データキャリアをＲＦＩＤタグとするデータキャリア用リーダ／ライタである。
【００１６】
また、本発明は、前記データキャリアを非接触ＩＣカードとするデータキャリア用リーダ／ライタである。
【００１７】
【発明の実施の形態】
本発明の実施の形態によるデータキャリア用リーダ／ライタについて、図面を用いて以下に説明する。
【００１８】
（実施の形態１）
図１は、本発明の実施の形態１によるデータキャリア用リーダ／ライタの分解斜視図である。また、図３は、本発明の実施の形態１によるデータキャリア用リーダ／ライタとデータキャリアの一つであるＲＦＩＤタグとの位置関係を示す図である。更に、図４は、本発明の実施の形態１によるデータキャリア用リーダ／ライタとデータキャリアの一つである非接触型ＩＣカードとの位置関係を示す図である。
【００１９】
図１より、本発明のデータキャリア用リーダ／ライタは、ケース１０の中に、アンテナコイル１と、第１の磁性体シート２と、第２の磁性体シート３と、アルミニウム板４と、絶縁体シート５と、制御回路基板６とが順番に積層されており、最後にふた７が、配置された構造となっている。
【００２０】
ここで、アンテナコイル１と、第１の磁性体シート２と、第２の磁性体シート３と、アルミニウム板４とでアンテナ送受信部８が構成されている。なお、ケース１０には、固定用のつめ１２が設けられている。
【００２１】
また、図３に示す通り、実使用時の一例として、データキャリア用リーダ／ライタ１００のアンテナコイル１を配置した面の下側領域に、ＲＦＩＤタグ２００が通過して、データの授受が行われる。ここで、データキャリア用リーダ／ライタ１００と、ＲＦＩＤタグ２００とは、距離Ｌ１だけ、通信距離を有している。
【００２２】
更に、図４に示す通り、実使用時の他の一例として、データキャリア用リーダ／ライタ１００のアンテナコイル１を配置した面の下側領域に、非接触型ＩＣカード３００が通過して、データの授受が行われる。ここで、データキャリア用リーダ／ライタ１００と、ＩＣカード３００とは、距離Ｌ２だけ、通信距離を有している。
【００２３】
ここで、本発明のデータキャリア用リーダ／ライタ１００では、第１の磁性体シート２と、第２の磁性体シート３としては、例えば、フェライト磁性粉末あるいは金属磁性粉末を樹脂バインダに分散させ、シート状に加工した電磁波吸収用磁性材シートが用いられる。電磁波吸収用磁性体シートの厚みは、０．３ｍｍ以上から１ｍｍ以下の範囲とする。
【００２４】
なお、電磁波吸収用磁性体シートを複数枚使用するのは、アンテナ送受信部８でのインダクタンスを調整するためである。電磁波吸収用磁性体シートは、アンテナコイル１に密着でき、複数枚重ねても、電磁波吸収用磁性体シート全体の厚みは、従来のフェライトコアの厚みよりも、薄くできる。このように、アンテナ送受信部８からのインダクタンスは、寸法が薄型化でも、十分大きくとれる。
【００２５】
また、アルミニウム板４は、通常、厚みが１ｍｍ以下のものが使用される。アルミニウム板４は、アンテナ送受信部８のアンテナコイル１からの電磁波での、漏れた電磁波を、渦電流として消費し、従って、ケースから外へ電磁波が漏れるのが防止される。これによって、周辺の金属板と、アンテナコイル１との干渉が防止され、データキャリア用リーダ／ライタ１００の取り付け場所の制限を自由に設置できる。
【００２６】
なお、本実施の形態では、アルミニウム板４を使用したが、電磁波を渦電流として消費する材料であれば、他の材料でも良く、例えば、銅板等も使用できる。
【００２７】
（実施の形態２）
図２は、本発明の実施の形態２によるデータキャリア用リーダ／ライタの分解斜視図である。図２より、本発明のデータキャリア用リーダ／ライタ１００は、ケース１０の中に、アンテナコイル１と、第１の磁性体シート２と、第２の磁性体シート３と、  絶縁体スペーサ１４と、  アルミニウム板４と、絶縁体シート５と、制御回路基板６とが順番に積層されており、最後にふた７が、配置された構造となっている。ここで、アンテナコイル１と、第１の磁性体シート２と、第２の磁性体シート３と、絶縁体スペーサ１４と、アルミニウム板４とでアンテナ送受信部８ａが構成されている。なお、ケース１０には、固定用のつめ１２が設けられている。
【００２８】
ここで、絶縁体スペーサ１４の役割は、アンテナコイル１とアルミニウム板４との距離を任意に調節するものである。すなわち、周辺の金属板が、接近しているときは、絶縁体スペーサ１４の厚みを薄くし、また周辺の金属板が、遠方にある時には、絶縁体スペーサ１４の厚みを厚くして対応する。絶縁体スペーサ１４の厚みは、０．５ｍｍから１．０ｍｍの間に選択される。このように、周辺の金属板の状況に応じて、絶縁体スペーサ１４の厚みを選ぶことにより、データキャリア用リーダ／ライタの最適状態が得られる。
【００２９】
なお、本発明のデータキャリア用リーダ／ライタに使用されるデータキャリアとしては、ＲＦＩＤタグ用、あるいは非接触型ＩＣカード用だけに限られるものではなく、他の情報通信端末にも適用できる。
【００３０】
また、図３あるいは図４の位置関係の図にて、データキャリア用リーダ／ライタにてケースを除去した場合でも、同様の効果が得られる。
【００３１】
【発明の効果】
以上、本発明によれば、周囲金属の影響を受けない、取り付け場所の制限を受けない、かつ薄型化したデータキャリア用リーダ／ライタを提供することができる。
【図面の簡単な説明】
【図１】本発明の実施の形態１によるデータキャリア用リーダ／ライタの分解斜視図。
【図２】本発明の実施の形態２によるデータキャリア用リーダ／ライタの分解斜視図。
【図３】本発明の実施の形態によるデータキャリア用リーダ／ライタとデータキャリアの一つであるＲＦＩＤタグとの位置関係を示す図。
【図４】本発明の実施の形態によるデータキャリア用リーダ／ライタとデータキャリアの一つである非接触型ＩＣカードとの位置関係を示す図。
【図５】従来のデータキャリア用リーダ／ライタの分解斜視図。
【図６】従来のデータキャリア用リーダ／ライタとＲＦＩＤタグとの位置関係を示す図。
【符号の説明】
１，１１    アンテナコイル
２    第１の磁性体シート
３    第２の磁性体シート
４    アルミニウム板
５，５１    絶縁体シート
６，６１    制御回路基板
７，７１    ふた
８，８ａ，８１    アンテナ送受信部
９    フェライトコア
１０，１０ａ    ケース
１２，１２ａ    固定用のつめ
１３    コネクタ
１４    絶縁体スペーサ
１００，１００ａ    データキャリア用リーダ／ライタ
２００，２００ａ    ＲＦＩＤタグ
２０１，２１１    アンテナコイル
３００    非接触型ＩＣカード
３０１    アンテナコイル
３０２    ＩＣ
【図１】
2004213217.tif 000003
【図２】
2004213217.tif 000004
【図３】
2004213217.tif 000005
【図４】
2004213217.tif 000006
【図５】
2004213217.tif 000007
【図６】
2004213217.tif 000008